(57)【特許請求の範囲】
【請求項１】
透析機の少なくとも１つの構成要素における摩耗を分析する方法であって、
分析さるべき各構成要素の正規性能の限度を規定するしきい値を設定する段階、
透析機の作動中に各構成要素の実性能を監視する段階、
監視された前記実性能から特性動作パラメータを決定する段階、
前記特性動作パラメータを前記しきい値と比較する段階、
前記特性動作パラメータが前記しきい値を超える各場合につきプロセッサ装置に保全カウント値を増分する段階、および
前記保全カウント値を参照することによって前記構成要素の摩耗を分析する段階
を包含する構成要素の摩耗を分析する方法。
【請求項２】
請求項１に記載の方法であって、さらに
前記増分された保全カウント値を前記プロセッサ装置に格納する段階、および
前記方法を使用して分析された前記構成要素を交換しまたは保全を提供した後に前記増分された保全カウント値をリセットする段階
を包含する構成要素の摩耗を分析する方法。
【請求項３】
請求項１に記載の方法であって、さらに
前記特性動作パラメータが前記しきい値を超えるときそのつど異常事象を登録する段階、および
各異常事象と関連している時間情報を記録する段階
を包含する構成要素の摩耗を分析する方法。
【請求項４】
請求項3に記載の方法であって、さらに
前記保全カウント値および前記時間情報の使用によって前記構成要素の異常事象を説明する傾向変動情報を提示する段階
を包含する構成要素の摩耗を分析する方法。
【請求項５】
請求項4に記載の方法であって、さらに
各構成要素のため予想寿命または保全間隔情報を入手する段階、および
傾向変動情報および予想寿命または保全間隔情報を使用して前記構成要素の故障または前記構成要素のための保全期日を予測する段階
を包含する構成要素の摩耗を分析する方法。
【請求項６】
請求項１に記載の方法であって、前記構成要素が蠕動ポンプである方法において、前記監視する段階が、
前記蠕動ポンプの行程体積を測定する段階
を包含する構成要素の摩耗を分析する方法。
【請求項７】
請求項１に記載の方法であって、前記構成要素が電動機であってそれに供給される電圧または電流の一方の値に対して直接関係づけられる回転速度を有する電動機である方法において、前記監視する段階がさらに、
予め決定された回転速度を達成するために前記電動機に供給される電圧または電流の一方の実効値を測定する段階
を包含する構成要素の摩耗を分析する方法。
【請求項８】
請求項１に記載の方法であって、透析機が目標限外濾過速度を以て限外濾過透析治療を遂行し、そして前記構成要素が限外濾過速度と関係づけられたフィードバック値を有する限外濾過ポンプである方法において、前記監視する段階がさらに、
目標限外濾過速度を達成するため限外濾過透析治療の遂行間に調整される実効フィードバック値を測定する段階
を包含する構成要素の摩耗を分析する方法。
【請求項９】
請求項１に記載の方法であって、２つの構成要素が分析されそしてこれら構成要素が第１および第２の歯車ポンプでありそして各歯車ポンプがデューティサイクルに基づいて付勢される分離形モータによって駆動される方法において、前記監視する段階がさらに、
前記第１のポンプから圧力を生じさせるため前記第１のポンプを駆動する前記モータを付勢するデューティサイクルの実オン時間を測定する段階、および
前記第２のポンプから圧力を生じさせるため前記第２のポンプを駆動する前記モータを付勢するデューティサイクルの実オン時間を測定する段階を包含し、
前記特性動作パラメータを決定する段階がさらに前記第１と第２のポンプの測定されたオン時間の比を計算する段階
を包含する構成要素の摩耗を分析する方法。
【請求項１０】
請求項１に記載の方法であって、２つの構成要素が分析されそしてこれら構成要素が第１と第２の流量計である方法において、前記監視する段階がさらに、
第１の流量計の表示流量を測定する段階、および
前記第１および第２の流量計を通る実流量が同じであるとき前記第２の流量計の表示流量を測定する段階を包含し、
前記特性動作パラメータを決定する段階が前記第１と第２の流量計の表示流量の比に等しいタレーション定数を計算すること
を包含する構成要素の摩耗を分析する方法。
【請求項１１】
請求項１に記載の方法において、前記構成要素がデューティサイクルを基礎として付勢されるモータによって駆動されるポンプであり、前記監視する段階がさらに、
前記ポンプの予め決定された運転条件下で前記モータを付勢する前記デューティサイクルの実オン時間を測定する段階、および
前記ポンプの理想の予め決定された運転条件下で前記モータを付勢する前記デューティサイクルの前記オン時間についての理想値を入手する段階を包含し、
前記決定する段階がさらに前記実オン時間と前記オン時間についての理想値との差を決定することによって前記特性動作パラメータを入手する段階
を包含する構成要素の摩耗を分析する方法。
【請求項１２】
請求項１に記載の方法において、前記透析機が、記憶置を有するプロセッサ装置を使用する安全および制御システムを有し、そして前記方法が、さらに
前記プロセッサ装置の動作によって前記特性動作パラメータを決定する段階、前記特性動作パラメータを前記しきい値と比較する段階および前記保全カウント値を増分する段階を遂行する過程
を包含する構成要素の摩耗を分析する方法。
【請求項１３】
請求項１２に記載の方法であって、さらに
前記プロセッサ装置の記憶装置に前記諸値を記録する段階
を有する構成要素の摩耗を分析する方法。
【請求項１４】
透析治療を行うために使用される複数の構成要素および記憶装置を使用するプロセッサ装置を有する安全および制御系であってそれによって前記構成要素を透析治療の遂行のため制御しかつそれによって前記構成要素の少なくとも一つにおける摩耗を分析するための情報を展開するものを含む透析機であって、
前記透析機の使用中に分析さるべき各構成要素の実性能を監視する手段、
分析さるべき各構成要素の正規性能の限度を規定するしきい値を記録する手段、
保全カウント値を入手するため前記特性動作パラメータを前記しきい値と比較する手段、
前記特性動作パラメータが前記しきい値を超える各場合につき前記プロセッサ装置の記憶装置における保全カウント値を増分する手段、および
前記増分された保全カウント値を選択的に表示する手段
を有する透析機。
【請求項１５】
請求項１４に記載の透析機であって、さらに、前記分析下の構成要素を交換しまたは前記構成要素へ保全をした後に前記増分された保全カウント値をリセットする手段を有する透析機。
【請求項１６】
請求項１４に記載の透析機であって、さらに、
前記特性動作パラメータが前記しきい値を超えるときそのつど異常事象を登録する手段、および
各異常事象に関連する時間情報を記録する手段
を包含する透析機。
【請求項１７】
請求項１６に記載の透析機であって、さらに、保全カウント値および時間情報の使用によって前記構成要素の異常事象を説明する傾向変動情報を提示する手段を包含する透析機。
【請求項１８】
請求項１４に記載の透析機において、前記構成要素が蠕動ポンプであり、そして前記透析機がさらに、
前記蠕動ポンプの行程体積を測定する手段
を包含する透析機。
【請求項１９】
請求項１４に記載の透析機において、前記構成要素が電動機であり、該電動機がそれに供給される電圧または電流の何れか一方の値に直接関係づけられた回転速度を有し、そして前記透析機がさらに、
事前決定回転速度を達成するため前記電動機に供給される電圧または電流の何れか一方の実効値を測定する手段
を包含する透析機。
【請求項２０】
請求項１４に記載の透析機において、該透析機が目標限外濾過速度を以て限外濾過透析治療を遂行し、そして分析さるべき前記構成要素が前記限外濾過速度と関係づけられたフィードバック値を有する限外濾過ポンプであり、前記監視する手段がさらに、
前記目標限外濾過速度を達成するため限外濾過透析治療の遂行間に調整される実効フィードバック値を測定する手段、
を包含する透析機。
【請求項２１】
請求項１４に記載の透析機において、分析さるべき２つの構成要素が第１および第２の歯車ポンプであり、そして各歯車ポンプがデューティサイクルに基づいて付勢される分離形モータによって駆動され、前記監視する手段がさらに、
前記第１のポンプにおける圧力を生じる前記第１のポンプを付勢する前記デューティサイクルの実オン時間を測定する手段、
前記第２のポンプにおける圧力を生じる前記第２のポンプを付勢する前記デューティサイクルの実オン時間を測定する手段、および
前記第１および第２のポンプの前記測定されたオン時間の比を計算することによって前記特性動作パラメータを決定する手段
を包含する透析機。
【請求項２２】
請求項１４に記載の透析機において、分析さるべき２つの構成要素が第１および第２の流量計であり、前記監視する手段が、さらに
前記第１の流量計の表示流量を測定する手段、および
前記第１および第２の流量計を通る実流量が同じであるとき前記第２の流量計の表示流量を測定する手段、
前記特性動作パラメータを決定する手段が前記第１および第２の流量計の前記表示流量の比と等しいタレーション定数を計算する手段
を包含する透析機。
【請求項２３】
請求項１４に記載の透析機において、前記構成要素がデューティサイクルに基づいて付勢されるモータによって駆動されるポンプであり、前記監視する手段がさらに、
前記ポンプの事前決定運転条件下で前記モータを付勢する前記デューティサイクルの実オン時間を測定する手段
を包含する透析機。
【発明の詳細な説明】
本発明は、一般的に透析機に係り、そして、さらに詳細には、故障するまたは不完全に機能するおそれのある透析機構成要素を確認しかつこれら構成要素に関する保全およびサービスの決定を行うためにその透析機構成要素に対して傾向変動分析を遂行する新規で改良された方法および装置に関する。
発明の背景
一般に、透析機は、人体の自然腎機能に代わる物として使用される。そのような物として、透析機は、身体の外部においてすなわち生体外で血液から老廃物を分離することによって生体老廃物から成る自然蓄積物を除去して血液を浄化する。分離された老廃物は棄てられそして清浄血液は身体に戻される。
透析機は血液から老廃物を分離するため透析器を使用する。透析器は、それを血液仕切室と透析液仕切室とに分離する多孔媒質であって囲い内に配置されたものを有する。患者から取り出された血液は、血液仕切室を流れ通り、そして透析物の調合溶液が透析液仕切室を通って流れる。血液からの老廃物は、浸透、イオン移動または透析液中への流体輸送によって媒質を通過し、そして透析治療の形式いかんに依って、透析液からの所望成分が、反対方向に媒質を通って血液中へと通過する。血液から透析液中への老廃物の移動は、血液を清浄化するとともに透析液から所望成分が血流に入ることを可能にする。
これら諸機能を達成するには多数の複合システムおよび構成要素が要求される。患者から透析器へそしてそれから逆に患者へと血液を導く体外流路においては、少なくとも１個の動脈血液ポンプおよびしばしば静脈血液ポンプが、血液を移動させそして限外濾過のごときある種の透析治療の遂行を支援する。透析器を通過するように透析液を導くためのハイドロ系流路は、この流路における諸条件を監視しかつ制御するために非常に多くの構成要素を有する。透析器の入り口および出口には、流量計が配置される。１個の透析液ポンプが、透析液を透析器内に移動し、そして他の１個の透析液ポンプが、透析液を透析器から取り出す。治療前にハイドロ系流路を消毒するため、滅菌剤ポンプが規定量の消毒剤をハイドロ系流路内に送入する。血液への所望成分の送出を制御するため、限外濾過ポンプが使用される。患者へのまたは患者からの望ましくない熱伝達を回避するため、ヒータが透析液を体温になるまで加熱する。また、ヒータは、微生物を死滅させるのに適切な温度になるまで消毒液を加熱するのに使用される。多くのその他の同等に重要な構成要素が、治療間にそして透析機をその使用に対し準備させるためともに適切に機能するように要求される。
個々の構成要素に加えて、通常、透析機は制御システムおよび安全システムを有する。制御システムは、透析治療間および透析機の治療準備間これら構成要素の正規動作を制御する。安全システムは、これら構成要素の性能および制御システムの機能性を監視する。もし制御システムの機能性または構成要素が故障するならば、安全システムが制御を担当しそして透析機を患者へのリスクを回避するために安全な状態に維持する。
これら構成要素は、すべて、使用による機械的摩耗を免れ得ないから、構成要素は時々故障しそして最終的には摩滅する。典型的な慣行は、透析機に対して定期計画保全を行うことであり、その間に、故障または機能不全に先立つて交換される構成要素もありうる。交換決定は基本的には保全要員の裁量および判定に任される。定期計画保全間隔（インターバル）間に交換されない構成要素は、通常、透析治療の間に故障する。
治療間の故障は、一般的に、安全システムに組込まれた特殊安全機能のゆえに、患者を危険な立場には陥れない。患者は治療の遅延という迷惑を蒙るが、他の透析機が代用され、そして診療機関が治療の遅延による患者の治療スケジュール調整という迷惑を蒙ることになり、それにより効率が低下する。装置故障に関連する重大な不都合は、特別保全コール（呼出し）が通常必要になることである。特別サービスコールは、普通、定期計画サービスコールよりも費用が高い。おそらく、構成要素故障のいっそう重大な結果は、ダウン時間であり、その間は透析機を患者の治療に使えないことである。
透析治療の費用は、ある程度、透析装置の維持費および透析装置を最大限限度まで使用できるかに関係している。医療費用の削減または抑制を指向する公衆感情とともに、保全費用の増加は、医学的処置の最終コストに直接的影響を及ぼす。
これらおよびその他の問題、論点および関心が、本発明のもとになった。
発明の摘要
本発明の重要な機能は、透析機の構成要素の性能に関連するパラメータを、これら構成要素を交換するまたはサービスする決定を行うのに有用な情報を得るため、監視することに関係する。他の一つの重要な機能は、透析機の構成要素の性能に関する有用な情報であってそれによりサービス決定および交換決定を行いうるものを入手することである。もう一つの重要な機能は、構成要素に関する情報であって実際の故障に先立って故障を予測することおよびそのような予測された故障に先立つて保全スケジュールを作成することにおいて有用なものを入手することである。本発明の重要な目標成果は、透析機の運転費用および保全費用を削減することである。
これらおよびその他の機能によって、本発明は、透析機の構成要素における摩耗を分析する方法および記憶装置を使用するプロセッサ装置であってそれにより分析情報を提供するものを備えた安全システムおよび制御システムを包含する透析機に指向される。この方法の諸段階およびプロセッサ装置および透析機のその他構成要素の機能性は、一般的に、分析さるべき各構成要素の正規性能の範囲を限定するしきい値を設定すること、透析機の使用間に各構成要素の実効性能を監視すること、監視された実効性能からテスト値を決定すること、およびこのテスト値をしきい値と比較することに関係している。この比較に基づいて、テスト値がしきい値を超えるとき、保全カウント値が各異常事象に関して増分される。この保全カウント値は、構成要素における摩耗を分析するため表示されまたは参照される。
各透析機構成要素のためのテスト値は、構成要素のタイプに従って展開される。
例えば、ポンプを駆動するモータを付勢する電圧または電流に直接関係づけられる態様で動作するポンプのためのテスト値は、テスト値を有する実電流値または実電圧値を使用するであろう。蠕動ポンプのためのテスト値は、実行程容積容量によって決定され得る。限外濾過ポンプのためのテスト値は、限外濾過透析治療の実行間に計算されるその実フィードバック値に関係づけられ得る。２つの流量計の相対流量校正のためのテスト値は、各流量計によって測定される実表示流量値の比によって導かれるタレーション（ｔａｒａｔｉｏｎ）定数に基づくようにされる。２つの歯車ポンプまたはインペラポンプのためのテスト値は、モータを付勢しつつ等圧条件下のポンプを駆動するデューティサイクルのオン時間の比から導かれる。デューティサイクル駆動方式ポンプモータのためのテスト値は、モータを付勢するデューティサイクルの実オン時間および同一理想条件下のオン時間の理想値によって決定される。
本発明の他の多くの好適局面および本発明およびその範囲のより完全な認識は、以下に簡潔に要約されている添付図面から、本発明のやがて提示される実施例の下記の詳細な説明から、そして別添請求の範囲から理解されるであろう。
【図面の簡単な説明】
第１図は、本発明を実施する透析機の斜視図である。
第２図は、第１図に示された透析機の制御システムおよび安全システムの構成図である。
第３図は、第１図および第２図に示された透析機の体外流路およびハイドロ系流路の典型的構成要素の若干を例示する一般化図面である。
第４図は、第３図に示されたハイドロ系流路および体外流路のさらなる構成要素のより詳細な線図である。
第５図は、本発明の傾向変動分析を受ける構成要素の状態を評価するためのしきい値を設定または変更することに関連する諸動作を例示する流れ図である。
第６図は、本発明に基づく傾向変動分析を受ける構成要素の状態を説明する諸事象を探知することに関連する諸動作を例示する流れ図である。
第７図は、本発明に基づく傾向変動分析を受ける構成要素の状態を分析することに関連する諸動作を例示する流れ図である。
第８図は、本発明に基づく傾向変動分析を受ける構成要素の故障または機能不全を予測することに関連する諸動作を例示する流れ図である。
第９図は、第３図および第４図に示される体外流路またはハイドロ系流路に在るデューティサイクル駆動方式ポンプのためのテスト値を計算することに関する第６図に示された諸動作を説明する流れ図である。
第１０図は、第３図および第４図に示されるハイドロ系流路に在る２つの流量計のためのテスト値を計算することに関する第６図に示された諸動作を説明する流れ図である。
第１１図は、第３図および第４図に示されるハイドロ系流路に在る歯車ポンプのためのテスト値を計算することに関する第６図に示された諸動作を説明する流れ図である。
第１２図は、第３図および第４図に示されるハイドロ系流路に在るポンプ限外濾過フィードバック値のためのテスト値を計算することに関する第６図に示された諸動作を説明する流れ図である。
第１３図は、第３図および第４図に示されるハイドロ系流路に在る滅菌ポンプのためのテスト値を計算することに関する第６図に示された諸動作を説明する流れ図である。
第１４図は、第３図および第４図に示されるハイドロ系流路に在るガス抜きポンプのためのテスト値を計算することに関する第６図に示された諸動作を説明する流れ図である。
詳細な説明
本発明は、第１図および第２図に全体として符号２０を以て示されるそれのごとき透析機に実施されるとき有利である。透析機２０は様々の異なる周知の透析治療を患者に施すのに使用される。透析治療を適切に遂行するとともに治療間患者をリスクから保護するために、透析機２０は制御系２２および安全系２４を有する。制御系２２の諸機能は、実質的に体外マイクロコントローラ２６およびハイドロ系マイクロコントローラ２８によって完全に遂行される。安全システム２４の諸機能は、安全システムマイクロコントローラ３０によって遂行される。各マイクロコントローラ２６、２８および３０は、それぞれ、その固有の記憶装置３２、３４および３６を有し、記憶装置にはマイクロコントローラおよび透析機２０の諸構成要素を制御するためのプログラムが記憶される。好ましくは、安全系記憶装置３６は、予期しない電源障害からの回復後における機能性の喪失を防止するための不揮発性すなわち持久性部分を有する。
制御および安全に関する情報が、オペレータ／機械インタフェース（０ＭＩ）３８を介して透析機に供給される。このＯＭＩ３８は、入／出力（Ｉ／Ｏ）装置４０を有し、それを通じて入力情報が保護マイクロコントローラ３０に供給され、そしてそれから動作および安全情報が、オペレータに対して表示される。ＯＭＩ３８もまた情報の入出力を支援するためその固有のプロセッサを有し得る。情報はバスまたはネットワーク４２を通じて転送されてマイクロコントローラ２６、２８および３０間において共用される。
透析機２０の構成要素は、第３図および第４図に示される体外流路およびハイドロ系流路を設定する。血液は、患者から体外流路を通って流れ、この通路において清浄化され、次いで患者へと戻される。透析液は、ハイドロ系流路を通って流れ、透析液に移転される老廃物を除去し得る。体外流路は、血流状態を検知するとともに血流を制御するためのセンサ４４および制御装置４６を有する。同様に、ハイドロ系流路もまた透析液の状態を検知するとともにその特性を制御するためのセンサ４８および制御装置５０を有する。
体外流路およびハイドロ系流路においてセンサ４４および４８、および制御装置４６および５０は、制御システム２２および安全システム２４の双方のマイクロコントローラと接続されている。万一、制御システム２２または安全システムの一方が機能不全を生じても、他方のシステムが透析機２０に対する制御を引き受けてそれを安全患者状態に維持し、その状態において患者に対するリスクは、完全に排除されるかまたは最小化され得る。
第３図および第４図には、体外流路に関するさらなる細部が図示されている。血液は、患者５２から在来形の透析器５４を通過して患者５２へ復帰するように流れる。動脈血液ポンプ５６（通常は、図示のごとく蠕動式）が、患者５２から動脈血液管路５８を通じて血液処理カートリッジ６２の動脈血液室６０内へ血液を引き入れる。血液ポンプ５６は、動脈血液室６０から、固定溝路６８に対して回転ロータ６６によって絞圧または挟圧されるポンプチュービング６４を通じて血液を引張る。ポンプチュービング６４内の血液は、血液処理カートリッジ６２のマニホルド７０内に推進され、次いでチューブ７２を通って透析器５４の血液入口に進入する。
微小孔型またはその他のタイプの透析媒質７４が、透析器５４の内部を血液室７６および透析液室７８に分割する。透析器５４内において、患者５２からの老廃物は、血液から分離され、そして清浄化された血液は、チューブ８２を通じて転送されてカートリッジ６２の静脈血液室８０へ戻る。血液中の非意図的に導入された空気は、静脈血液室８０内に在る間に抽出される。
静脈血液室８０を出発した後、血液は、静脈血液管路８４を通って空気検出器８６へと流れる。空気検出器８６は、空気が静脈血液管路８４内に残留している場合、空気量に関する信号を導出する。もし過大量の空気が存在するならば、保護制御信号が生成されそして静脈血液管路クランプ８８が直ちに締まって、空気が患者５２に達する前に、静脈血液管路８４を通る血液の流れを停止させる。いくつかの方式の透析治療においては、静脈血液ポンプ９０（第４図）が、静脈血液管路８４に配置されて、患者５２への血液の復帰を支援し得る。動脈血液管路クランプ８２が、必要なときまたは望まれるとき、動脈血液管路５８内の血液の流れを停めるために、動脈血液管路５８に配置される。
体外流路内の血液は凝固し易いから、ヘパリンのごとき抗凝固剤が、体外流路内に注入される。抗凝固剤は注射筒９４から緩速をもって送入される。プランジャ９６が駆動装置（図示されない）によって注射筒９４内で変位される。駆動装置および注射筒９４は、典型的にヘパリンポンプまたは抗凝固剤ポンプと呼ばれている。
ハイドロ系流路の構成要素もまた、第３図および第４図において、より詳細に図示されている。ハイドロ系流路は、補給源１０２から透析液を引き出す透析液ポンプ１００を有する。透析液の供給源１０２は、透析機によって清浄水および薬品補給源から調製され、または予調製された透析液の外部給源から得られる。透析液ポンプ１００は、透析液補給管路１０４を通じて透析器５４の透析液室６４へと透析液を給送する。透析液は媒質７４を通って流れ、そこにおいて、血液室７６内の血液から移転された老廃物を吸収する。透析液中の有益成分であって血液中に移転さるべきものは、すべて、媒質７４を通過して血液室７６内で血液中に入る。
老廃物を含有する透析液は、ドレンポンプ１０６によって透析液室７８から除去され、ドレンポンプは、透析液ドレン管路１０８によって透析器５４と接続されている。透析液ドレン管路１０８内の使用済み透析液は、廃液ドレン１１０へと送られる。廃液ドレン１１０は、独立した容器であるか、または公共下水との連絡部分であり得る。
ヒータ１１２が透析液補給管路１０４に配置される。ヒータ１１２は、透析器５４に補給される透析液の温度を、患者５２の体温と同等の温度まで上昇させる。透析器５４内における血液と透析液との間の熱伝達は、このようにして回避されて熱による患者の苦痛を防止し得る。また、ヒータ１１２はハイドロ系流路の消毒間にも機能する。ハイドロ系流路に発見されるかもしれないあらゆる微生物が、消毒間に死滅せしめられる。消毒用薬品から作られる滅菌剤溶液は、ハイドロ系流路を通じて導かれる。しばしば、滅菌剤もまた微生物を死滅させる作用を助けるために加熱される。ヒータ１１２は、消毒条件下で滅菌剤を加熱するために使用される。
以上説明された諸要素に加えて、ハイドロ系流路はまた多数の制御弁（それらの多くは図示されない）、および透析液の特性を決定するための多数のセンサ（それらの多くは図示されない）、例えば導電性センサ、ｐｈセンサ、温度センサなど、を有し、それらのすべては一般的に透析機の分野で既知である。
ハイドロ系流路は傾向変動分析を受けしめられる構成要素の多くを有する。これら構成要素の機能性に関するさらなる細部は、特に構成要素の傾向変動分析を可能にするそれらの特性について以下検討される。
一般的に、傾向変動分析の技術的方法は、透析機の構成要素の特性動作パラメータを監視する過程、および監視された特性をしきい値と比較する過程を包含する。もし被監視特性がしきい値から偏倚するならば、異常事象が認識される。異常事象の生起は、保全カウンタを増分させる。保全カウンタは、透析機の使用間に生起する各異常事象に関する情報を記録する。保全カウンタからの情報は、傾向変動分析を受ける構成要素の交換またはサービスに関する決定を行うため分析される。しきい値は、一般的に、構成要素の許容性能の水準または範囲を表す値である。しきい値は、構成要素の監視された特性動作パラメータが、正規特性からの許容され得ない偏差を表すかどうかを決定するため透析装置の製造業者またはオペレータによって設定される。
構成要素の故障予測は、時間のごとき他パラメータに対する保全カウント値の変動に関する傾向値を計算するまたは観察することによって達成される。この傾向値は、構成要素の故障を予測するまたは推定するための、そしてこの構成要素を交換する期日または時刻を推定するための基礎として評価される。そのような予測は、また、構成要素を交換する必要性について保全要員に警告するための警報を発生させるために使用され得る。
本発明の基本機能は、第５図から第８図に示されている。若干の基本機能に含まれる特定機能は、第９図から第１４図に示されている。本発明に包含される活動のいくつかは、透析機のため保全要員によって取られるまたは取られうる作動であり、そして作動のいくつかは、透析機の制御システムおよび安全システムによって遂行されるまたは遂行されうる。本発明のいくつかの局面が、第５図から第８図の流れ図において段階として示されており、そして各段階は説明の便宜上参照番号によって個々に示されている。
構成要素の正規性能レベルを表すしきい値を入力するまたは変更する基本機能が第５図に示されている。段階１２０において、オペレータは、傾向変動分析を受けるべき各構成要素のためのしきい値を入力するかまたは更新する。例えば、ポンプモータを駆動するためのデューティサイクル（使用率）の限度は、オペレータによって選択され得、ポンプ製造業者によって指示され得、または透析機の製造業者によって決定され得る。もしポンプモータを駆動するのに必要なデューティサイクルが、しきい値を構成する上限または下限を超えるかまたはそれらの範囲外になるならば、異常事象が生じそして通常でないまたは異常な動作の情況または状態を呈するであろう。従って、各しきい値は、傾向変動分析を受けるべき構成要素の正規動作の許容限度または範囲を表す。
１２０において入力されたしきい値は、記憶装置、好ましくは１２２において固定記憶装置、に記憶される。固定記憶装置は、保護マイクロコントローラ３０に接続された記憶装置３６（第２図）の一部である。しきい値を不揮発性記憶装置に記憶することによって、それらは、予期しない停電およびその他の機能不全による喪失または破壊に対して保護される。したがって、しきい値は、長期間にわたって利用可能である。
第６図に示される基本機能は、しきい値を超えている構成要素動作を示す異常事象の探知を含む。第６図に示される一連の事象は、透析機の各動作間に生起する。１２４において、透析間の各構成要素のしきい値は、保護記憶装置３６（第２図）からネットワーク４２を通じて体外マイクロコントローラ２６および／またはハイドロ系マイクロコントローラ２８へとダウンロードされるかまたは転送される。透析機の動作間、体外センサ装置４４（第２図）およびハイドロ系センサ装置４８からの情報は、１２６においてマイクロコントローラ２６および２８へと供給される。センサデータは、分析される各構成要素のために使用できる。
１２６において供給されたセンサデータまたは構成要素へと供給されたパラメータ（例えば、ステッパモータに供給された付勢電流のデューティサイクル）の指令値および１２４において得られたしきい値を使用することによって、段階１２８において、テスト値が計算されるまたは算出される。以下説明されるいくつかの場合においては、１２８において計算されるテスト値は、１２６においてセンサから受取ったデータであろう。以下説明されるその他の場合においては、１２８におけるテスト値は、１２６において受取ったセンサデータを使用して行われる数学的計算から生じるであろう。したがって、テスト値は一般的にその実作動条件に依存して各構成要素のため計算されなくてはならない。透析機において傾向変動分析を通常受けるべき多数の異なる構成要素のためテスト値を計算するいくつかの段階が、第９図から第１４図に示されておりそしてそれら図面を参照して個別的に説明される。
１２８で計算されたテスト値と、しきい値との比較が、１３０で行われる。もし１３０における比較が、テスト値がしきい値の限度を超えるまたはその範囲外になること示したならば、異常事象が生起し、そして１３２において保全カウント値が増分される。保全カウント値は、記憶装置に記憶された値であり、それは、分析中の構成要素の動作条件がしきい値すなわち正規動作許容限界を超えたとき生じた異常事象の総数を表す。予測目的のため、好ましくは、各異常事象の時刻および期日もまたそのような異常事象の生起の事実とともに記憶される。もし１３０における比較が、テスト値はしきい値から独特的に異なっていないことを示すならば、保全カウント値は増分されない。１３２における保全カウント値の各増分加算後に、または、テスト値はしきい値から独特的に異ならないという１３０における各決定後に、保全カウント値は、１３４において示されるように、記憶装置に記憶される。記憶装置内の保全カウント値は、ネットワーク４２を通じて情報を転送することによって更新される（第２図）。
各構成要素を分析すること関する本発明の基本機能は、第７図に示されている。１３６において、オペレータは、選択された１つまたはそれ以上の構成要素のための保全カウント値の表示または他形式での提示を要求する。表示は、記憶装置から保全カウント値を受取るため保護マイクロコントローラ３０と接続されているＯＭＩ入出力装置（第２図）を通じてアクセスされる。
１３６において要求された情報を入手した後、オペレータは、１３８において保全カウント値を分析する。段階１３８において遂行される分析は、過剰保全カウント値を認識するのと同様に簡単である。より複雑な形式の分析は、故障期日を予測するため異常事象と関連する期日およびカウント値を外挿することを含む。オペレータは、予測故障期日に基づいて予防保全のスケジュールを作成しまたは経験および判断力に基づいた行動を取る。制御システムおよび安全システムマイクロコントローラ２６、２８または３０（第２図）が分析を実行しまたはオペレータまたはサービス技術者が分析を実行して構成要素の状態を分析する。
オペレータが取りうる形式の分析作業の一例が、段階１４０、１４２、１４４および１４６によって示されている。もし保全カウント値が、１４０において決定されたように、高すぎるならば、オペレータは１４２において示されるように構成要素を交換する。その後、オペレータは、１４４において示されるように、交換構成要素のために保全カウント値をリセットする。その後、リセット保全カウント値は、１４６において示されるように記憶装置に格納される。もし保全カウント値が１４０で決定されるように高すぎないならば、保全カウント値は変更されないまま維持されて、透析機の正規動作は、１４０における決定の結果１４８から進行する。１３６において保全カウント値を要求し、１４４において保全カウント値をリセットし、そしてリセット保全カウント値を記憶装置に再び格納する諸作業は、入出力装置４０（第２図）を使用してオペレータによって完遂される。
第８図には、構成要素の故障または交換を予測しそして予想故障期日に先立って保全スケジュールを作成することに関する基本機能が示されている。示された諸段階は、もっぱら制御系および安全系マイクロコントローラの機能性によって遂行されるか、またはこれら段階は手動によって遂行され得、または情報が透析機からダウンロードされて諸段階が個別コンピュータによって遂行され得る。また、手動段階と自動実行段階との総合も採用され得る。保全カウント値情報は、最初１５０において得られる。保全カウント値情報は、カウント値および、この場合、保全カウント値の増加を生じる各異常事象と関連する期日を含む。この情報から、異常事象の生起に関する傾向が、１５２において計算される。この傾向は、今後における異常事象の発生率を提示する。
次に、１５４において示されるように、検討下の個々の構成要素に関する期待寿命または保全間隔情報が得られる。期待寿命または保全間隔情報は、該透析機に関して記憶装置に供給され得、または透析機の保全に関するオペレータの経験に基づいてオペレータによって入力または更新され得、またはほかの場所に在る別のコンピュータに、または、異なる情報給源に格納され得る。期待寿命または保全間隔情報は、計算においてまたは１５２において得られた傾向に基づくその他の外挿において使用される。経験、実験的情報または予測およびカウント値、傾向および期待寿命またはサービス間隔に基づいて、予測寿命またはサービス間隔が提示され得る。
１５６において予測された予想故障または保全間隔期日に基づいて、予想故障期日または保全間隔期日に先立って警報が発出されるように、１５８においてそのスケジュールが作成され得る。１５８における警報は、制御システムおよび安全システムマイクロコントローラによって自動的にスジュールを作成され得、その場合において、警報は、マイクロコントローラによって管理される標準システムクロックによって計算される通りに、スケジュール期日に基づいてやはり自動的に発出される。別の方式として、オペレータが手動で警報期日のスケジュールを作成する。
保全はまた１５８における警報スケジュールの作成と同時に、または警報または１５６において決定された予想故障または保全間隔期日よりも早い異なる時点においてスケジュールを作成され得る。故障または保全間隔期日を予測することによって、同等回数をもって時々生じる故障または保全間隔期日を有する多数の構成要素は、同時にサービスを施されまたは交換され得、これによってサービスコールの回数が減少される。１６０において保全スケジュールを作成することが示されている。やはり、システム系マイクロコントローラが、保全期日のスケジュールを作成し得、またはスケジュールの作成はオペレータによって手動で為され得る。
傾向変動分析情報は、透析機が治療に使用されていないとき、定期計画保全事象間に保全要員によってそれにアクセスすることができ、または情報は、透析機の状態を評価するためにそれにアクセスすることができる。これに加えて、傾向変動分析情報は、透析機から中央保全コンピュータへとダウンロードされて、そこで評価され得る。
透析機には、本発明の傾向変動分析を受けることが有利である多数のポンプが存在する。これらポンプの多くは、デューティサイクルに基づいて付勢されるステッパ電動機（モータ）によって駆動される。デューティサイクルのオン時間は、モータを駆動するのに必要な電力量を表す。モータが摩耗するにつれ、そしてモータによって駆動されるポンプが摩耗するにつれ、目標性能を達成するための電力量は、摩耗を補償するために増大する。透析機構成要素のほとんどは、構成要素の性能を計測するためのセンサ（第２図における４４および４６）を有し、そして体外およびハイドロ系マイクロコントローラ（第２図における２６および２８）は、ポンプを制御しそしてそれにより目標流量を達成するためセンサ情報を利用するから、デューティサイクルのオン時間は、摩耗の効果に打ち勝つように容易に調整できる。デューティサイクルのオン時間を監視しそしてオン時間を正規に動作しているポンプの予想オン時間と比較することによって、摩耗の程度または限度を容易に決定することができる。
デューティサイクルに基づいて付勢されるステッパモータによって駆動され得る透析機ポンプの例は、第４図にすべて示されている動脈血液ポンプ５６、静脈血液ポンプ９０または注入液ポンプ、透析液流ポンプ１００、ドレン流ポンプ１０６、ガス抜きポンプ１６２、および１つまたは複数の薬品供給ポンプ１６４である。通常、透析機は２つの薬品供給ポンプ１６４を使用するが、第４図には、その１つが示されているにすぎない。一方の薬品供給ポンプは、通常、薬品供給源１６６から重炭酸塩を供給する。他方の薬品供給ポンプは、典型的に、別個の薬品供給源から酸を供給する。重炭酸塩、酸またはその他の薬品は、供給源１６８からの水と混合されて透析液を形成する。各薬品供給ポンプ１６４は、水と混合されそれによって所望組成の透析液を生じ得る精密な量の薬品を給送することが要求される。透析液を調製するのに使用される第４図に示されるすべての構成要素は、第３図において１０２をもって全体的に示されている。
デューティサイクル駆動方式液流ポンプ１００、１０６およびガス抜きポンプ１６２には、それらの性能を測定するため流量センサが結合されている。流量センサ１７０は、ガス抜きポンプ１６２が流体をヒータ１１２のまわりに循環させる流路に配置されている。流量センサ１７４および１７６は、透析液流ポンプ１００および１０６の体積流量を監視するため透析液供給管路１０４および透析液ドレン管路１０８に配置されている。
センサ１７２が、薬品供給ポンプ１６４と結合されていてその回転速度を測定しそしてそれによってポンプ１６４によって送られる体積流量を決定する。センサ１７４および１７６が、動脈血液ポンプ５６および静脈血液ポンプ９０と結合されていてこれらポンプ５６および９０の回転速度を測定する。これら回転速度から、動脈血液管路５８および静脈血液管路８４内における血液の体積流量が決定される。センサ１７０、１７４および１７６は、典型的には、それらが組付けられているポンプのロータの運動を感知するホールセンサである。センサ１７０、１７２、１７４、１７６、１７７および１７８は、第２図に示される体外センサ装置４４およびハイドロ系センサ装置４８に含まれる。
デューティサイクル駆動方式ポンプの一つのためのテスト値の計算１２８が、より詳細に第９図に示されている。デューティサイクル駆動方式ポンプは、１８０において選択され、そして血液ポンプと結合されたセンサからのデータが、１８２において得られる。１８２において得られる実センサデータは、デューティサイクル駆動方式ポンプの実運転性能を表すデータである。
ポンプを駆動する各デューティサイクルにおけるオン時間すなわち導電時間の百分率が、特定運転条件下におけるポンプの性能に相対して監視される。特定運転条件は、流体の流量、ポンプの位置における流体圧力、およびその他の変数であってこれら環境下においてポンプ性能に影響するものを考慮に入れる。これら同一環境下におけるポンプを駆動するためのデューティサイクルオン時間の理想値は、記憶装置のテーブルに記録されている。理想値は１８４においてメモリテーブルから得られる。
テスト値は、１８４において得られる理想値と１８２においてセンサデータから得られる実効値との差として計算される。この差は、１８６において決定され、それがテスト値となる。従って、テスト値は、実動作値と理想条件から生じる値との差を表している。
設定しきい値（第５図の段階１２０）によって表される通常環境下においてすら、１つのデューティサイクル駆動式ポンプと他のそのようなポンプとの間には、許容できる変動性範囲が存在する。したがって、デューティサイクルポンプのために設定されたしきい値は、許容偏差範囲である。
１８６（第９図）において得られるテスト値は、第６図の１３０におけるしきい値によって表される許容偏差範囲と比較される。しきい値範囲を超える（範囲外になる）テスト値は、異常事象の生起を示し、それは１３２（第６図）において保全カウント値を増分する。
ハイドロ系流路における流量センサまたは計器１７７および１７８（第４図）のためのテスト値の計算１２８が、より詳細に第１０図に示されている。検討される流量計の選択が、１９０において示されている。２つの流量計から得られる実センサデータは、段階１９２および１９４において得られる。１９２および１９４において得られる実効センサデータが、１９６において示されるタレーション定数として知られる２つの値の比を計算するため使用される。タレーション定数は、両流量計１７７および１７８の相対性能を比較するための標準化控除値を確定する。理想的テスト遂行条件下においては、各流量計を通る流量は、同等であるべきであり、そして結果として生じるタレーション定数は１．０である。
１９６におけるタレーション定数の計算後、ハイドロ系マイクロコントローラが、１９８に示すように、タレーション定数から値１．０を控除する。この減算の答がテスト値であり、その後、プログラムの流れは、段階１３０（第６図）において続く。
流量計１７７および１７８の場合においては、１２４において設定されたしきい値は、許容可能と考えられる標準偏差範囲を構成する。１９８において計算されたテスト値の変動値であってしきい値を超える（外れている）ものは異常とみなされそして、その結果として第６図において１３０、１３２において示されるように、保全カウント値の増分が加算される。
一般的に各流量計によって測定される流量の変動は、これら流量計を通る内部流れ通路内における透析液化学物質の堆積から生じる。本発明によって入手できる傾向変動分析情報は、流量計がこの堆積物を完全に除去さるべきことを示す。流量計に関して利用できる傾向変動分析情報は、また、流量計を通る流量を測定するセンサの機能不全または誤りを認識するためにも使用され得る。
液流ポンプ１００および１０６（第３図および第４図）の性能に関するテスト値の計算１２８が、これらポンプを駆動する電動機を別として、第１１図にさらに詳細に示されている。これら電動機は、既に説明されたように、デューティサイクルに基づいて駆動される。しかし、これらポンプの流れ生成構成要素は、通常は歯車またはインペラである。これら歯車またはインペラも、また、摩耗をこうむり易く、そして第１１図において計算されるテスト値は、これら歯車またはインペラの状態を判定する有効な手段である。
傾向変動分析のための歯車ポンプまたはインペラポンプの選択が、２００において示されている。これら透析液歯車ポンプ１００および１０６の性能を正確に評価するためには、両ポンプに及ぼされる流体圧力が等しくなくてはならない。歯車またはインペラポンプの性能は圧力に依存しており、したがって、同等でない圧力は、両ポンプの正確な評価を妨げる。段階２０２は、両ポンプの圧力が等しくされるときにのみテスト値の計算が行われることを可能にする。両歯車ポンプが同一圧力下にあることによって、それらは同一回転数／分をもって運転され、そして各ポンプのための付勢デューティサイクルのオン時間が２０４において得られる。比１単位は、両歯車ポンプが同じように動作していることを示す。比１からの比偏差が大きくなるほど、ポンプ動作の不均衡がより大きいことが示される。
２０６において得られた比は、２０８において比１から控除され、そしてその答がテスト値である。２０６において確定された比は、第２ポンプのデューティサイクル（Ｐ２）に対する第１ポンプのデューティサイクル（Ｐ１）の比であるから、２０８において得られるテスト値は、両ポンプの適正な動作および両ポンプの何れの一つが故障しているかを示す。零テスト値は、両ポンプが適切に動作していることを示す。負テスト値は、２０６で計算された比が１．０より大きい値であるから第２ポンプ（Ｐ２）が故障していることを示す。正テスト値は、２０６で計算された比が１．０より小さい値であるから第１ポンプ（Ｐｌ）が故障していることを示す。
２０８において得られたテスト値は、第６図に示す流れにおいて段階１３０で使用される。１２０（第５図）において設定されたしきい値は、２つの歯車ポンプの相対性能における変動性の許容範囲を表す。したがって、１２４（第６図）においてダウンロードされたしきい値は、２０８（第１１図）で得られるテスト値が１３０において比較される偏差範囲である。しきい値の範囲外になるテスト値は、１３２（第６図）において保全カウント値を増分する異常事象の生起を示す。
限外濾過ポンプ２１０（第４図）の状態を評価するための限外濾過ポンプフィードバック値（ＵＰＦＶＢ）に対するテスト値の計算が、より詳細に第１２図に示されている。限外濾過は典型的に透析治療の一部であり、それによって、第３図および第４図から理解されるように、血液からの流体成分は、媒質７４を介して引かれて透析液中に入る。限外濾過を達成する典型的な方法は、透析器４７の入口に入る透析液の流れに対して比較される透析器４７の透析液出口から出る異なる流れを生じさせることである。
第４図に示される限外濾過ポンプ２１０は、透析器５４に入りそしてそれから出る透析液の流量に差を生じさせるため限外濾過間に使用される。限外濾過ポンプ２１０は、透析液供給管路１０８と透析液ドレン管路１１０との間に結合される。限外濾過ポンプ２１０の運転は、透析器５４の出口における透析器からの透析液の流量を増加または減少させる。限外濾過ポンプ２１０が使用される理由は、普通、ポンプ１００および１０６は、同じ流量をもって運転されるのが実情であるからである。限外濾過ポンプ２１０の運転は、透析液供給ポンプおよび透析液ドレンポンプの運転速度から独立して限外濾過の流量を設定する。
透析機の典型的な自動校正手順間、限外濾過ポンプ２１０が運転され、その間、透析液供給ポンプ１００および透析液ドレンポンプ１０６も動作する。流量が等しくなるまで、流量はセンサ１７７および１７８によって測定される。この条件下において、限外濾過ポンプ２１０への制御信号の値が決定され、そしてこの値が１（１．０）ＵＰＦＢＶとして設定される。限外濾過透治療の間、ＵＰＦＢＶは限外濾過の目標精度を達成するように調整される。次いで、この調整された流量は、治療の終了後に限外濾過ポンプの性能を評価するため使用される。
ＵＰＦＢＶのためのテスト値の計算が、より詳細に第１２図に示されている。限外濾過ポンプが、２２０において分析のために選択される。前回のＵＰＦＢＶ治療間における調整から生じた実効ＵＰＦＢＶ値が、記録装置からＵＰＦＢＶ値を読取ることによって、２２２において得られる。２２２で得られた実効ＵＰＦＢＶ値が、２２４において示されるように、１（１．０）から控除され、そしてその答がテスト値である。２２４におけるテスト値の計算後、プログラムの流れは、第６図に示される段階１３０において続行する。
１２０（第５図）において設定されたＵＰＦＢＶは、限外濾過ポンプのため許容できる動作とみなされる標準偏差範囲を構成する。１２４（第６図）において得たしきい値を超えている２２４（第１２図）で計算されたテスト値の変動は、１３２（第６図）において保全カウント値を増分する異常事象とみなされる。ＵＰＦＢＶに対する保全カウント値が増分加算される場合として、限外濾過ポンプ２１０本体の機能不全のみならずこのポンプに対する制御不調に起因するそれらが挙げられる。
滅菌ポンプ２２６（第４図）のためのテスト値の計算１２８が、より詳細に第１３図に示されている。滅菌ポンプ２２６は、透析機の使用前にハイドロ系流路を掃除しかつ消毒するため規定量の滅菌剤を供給源２２８からハイドロ系流路に給送するのに使用される。滅菌ポンプ２２６によって供給される滅菌剤の量は、適切な消毒を達成するには適正な濃度が必要であるから、重要である。滅菌ポンプ２２６は、三方弁２３０を介して滅菌剤供給源２２８と結合される。滅菌剤供給源２２８はさらに弁２３０とも結合される。ビュレット２３２が滅菌剤ポンプ２２６と結合される。
滅菌剤をハイドロ系流路に送出することが望まれるときは、弁２３０が滅菌ポンプ２２６を滅菌剤供給源２２８と連通するように作動される。滅菌ポンプ２２６は好ましくは蠕動ポンプである。蠕動ポンプのロータの回転運動の結果として、このポンプを通じて定体積の流体が運動する。この定体積は“行程”と呼ばれる。ポンプ２２６の各行程は、供給源２２８から規定体積の滅菌剤を引き出し、それはビュレット２３２へと移転される。滅菌剤は、ビュレットに隣接して配置された光学センサ２３４によって決定される液位まで、ビュレットを満たす。光学センサ２３４からの信号は、滅菌ポンプ２２６の規定回数の行程によって生成されたビュレット内の滅菌剤の体積を表す。滅菌剤ポンプが摩耗を生じるにつれて、行程体積は変化し、通常減少する。前記行程体積は、滅菌ポンプ２２６に関し傾向変動分析を行うため測定されるパラメータである。
滅菌ポンプのためのテスト値の計算１２８は、滅菌ポンプが２４０において傾向変動分析のために選択されることを以て始まる。２４２において示されるように、行程体積は、ビュレットが滅菌剤で満たされる液位から得られる。その後、テスト値は２４４において行程体積と等しくされる。滅菌ポンプのためのテスト値が確定するとともに、プログラムの流れは、第６図に示される段階１３０へと進行する。
段階１２０（第５図）において滅菌ポンプのために設定されたしきい値は、事前決定された目標行程体積である。もし段階２４４（第１３図）において確定されたテスト値が、１３０において決定されたしきい値より小さいならば、保全カウント値は１３２（第６図）において増分される。設定されたしきい値はまた、もし機能不全または故障を起こしている滅菌ポンプが目標より大きい行程体積または目標より小さい行程体積によって明らかにされる場合には、許容できる行程体積の範囲であり得る。
ガス抜きポンプ１６２（第４図）のためのテスト値の計算１２８が、より詳細に第１４図に示される。ガス抜きポンプ１６２は、流体をヒータ１１２のまわりで循環させるためにヒータ１１２と一緒に使用される。ガス抜きポンプ１６２は、もし少しでも空気がハイドロ系流路に入っているならばそれを除去するために透析治療間に使用される。
ガス抜きポンプ１６２は典型的に直流モータによって駆動される。ガス抜きポンプの速度すなわち回転数／分は、モータに供給される電流量と直接的に関係する。運転間、ガス抜きポンプモータの事前決定回転数／分は、ヒータ１１２を通る流路内に目標圧力を設定する。この目標回転数／分を設定するための電流量が読取られそしてガス抜きポンプの傾向特性をそれによって分析するパラメータとして用いられる。
ガス抜きポンプは、第１４図に示す２５０における傾向変動分析のために選択される。ガス抜きポンプが目標速度すなわち回転数／分に達したとき、目標回転数／分を以てポンプを駆動するのに要求される電流の実効値または実効量が、２５２において読取られる。次いでテスト値が、２５４において実効電流値と等値に設定される。２５４において設定されたテスト値は、次いで、第６図に示す段階１３０においてプログラムの流れに使用される。
ガス抜きポンプのため１２０（第５図）において設定されたしきい値は、事前決定回転数／分を以てガス抜きポンプを駆動するのに要求される電流の許容値範囲である。もしテスト値が、１３０（第６図）において決定されたしきい値の範囲外になれば、異常事象が示され、したがって保全カウント値は、１３２（第６図）において増分される。
透析機の多数の構成要素が傾向変動分析可能として以上検討されたが、その他の構成要素もまた本発明を使用して評価され得る。同様に、以上検討されたもの以外のパラメータも、分析されている構成要素の性能をそれによって評価するため選択され得る。一般的に、好適なパラメータとは、構成要素に提供されそしてそれに対して構成要素が反応して意図された性能または機能性を発揮するものを言う。本発明は、この性質の任意のパラメータを、透析機内の任意の構成要素に対して適切に用いることによって実施され得る。
本発明を透析機に実施することによって、透析機に関連する保全費用を削減する可能性が得られる。故障しやすい構成要素は、特別または緊急保全呼出しよりもむしろ定期計画保全間隔をもって交換またはサービスされ得る。各構成要素が異なる時点に故障するにつれて個別的な特別サービスの必要に遭遇するよりもむしろ、故障の切迫していることを傾向変動分析が示したならば、多数の構成要素が一度に交換され得る。故障または機能不全の予想期日を減らすことによって、定期サービススケジュールは、予期しない故障の発生を防止するように調整され得る。透析クリニックの透析機は、患者が通常治療を受ける日中の時間帯におけるダウン時間の発生を避けるようにして保全され得る。その結果として、透析装置の運転費用が削減されまたは増加率が減じられる。本発明を完全に理解することによって、他の多くの顕著な改善が認識されるであろう。
本発明の現在好ましい実施例およびその改良点の多くが、ある程度詳細に説明された。この説明は、本発明を実施するための好ましい一例であり、したがって必ずしも本発明の範囲を限定することを意図しない。
【図１】
0004049813.tif 000002
【図２】
0004049813.tif 000003
【図３】
0004049813.tif 000004
【図４】
0004049813.tif 000005
【図５】
0004049813.tif 000006
【図６】
0004049813.tif 000007
【図７】
0004049813.tif 000008
【図８】
0004049813.tif 000009
【図９】
0004049813.tif 000010
【図１０】
0004049813.tif 000011
【図１１】
0004049813.tif 000012
【図１２】
0004049813.tif 000013
【図１３】
0004049813.tif 000014
【図１４】
0004049813.tif 000015